(57)【特許請求の範囲】
【請求項１】
室内の壁面に取り付けられる壁掛け型の空調室内機であって、
通過する空気との間で熱交換を行う熱交換器（１３）と、
前記熱交換器よりも空気流れ上流側に配置されており、前記熱交換器へと流れる空気中の塵埃を捕捉するためのフィルタ（１８）と、
前記熱交換器及び前記フィルタを収納しており、空気を吸い込むための開口である下吸込口（２２）が下面（１１ｄ）に形成されているケーシング（１１）と、
前記下吸込口から上方に延びており、前記下吸込口から吸い込まれた空気を、前記フィルタ及び前記熱交換器へと導くための下吸込経路（３０）と、
前記下吸込経路において前記フィルタよりも前記下吸込口側に配置されており、前記フィルタから落下する塵埃を保持するための保持部（５０）と、
を備え、
前記保持部は、前記フィルタから落下する塵埃を捕捉し、捕捉した塵埃を保持する保持溝（５２）を有する、
空調室内機（１０）。
【請求項２】
前記保持部は、櫛歯状の捕捉部（２６４）を有する、
請求項１に記載の空調室内機。
【請求項３】
前記保持溝は、前記ケーシングの左側端部近傍から右側端部近傍まで延びるように配置されている、
請求項１又は２に記載の空調室内機。
【請求項４】
前記下吸込経路は、前記熱交換器近傍において水平断面の面積が最も小さい第１部分と、前記下吸込口近傍部（３３ａ）を含む第３部分（３３）と、前記第１部分と前記第３部分とを繋ぐ第２部分（３２）と、を含み、
前記保持部は、前記第２部分において前記第１部分の前記第３部分側の端縁の真下に位置する、
請求項１から３のいずれか１項に記載の空調室内機。
【請求項５】
前記フィルタに捕捉された塵埃を除去するための除去部（８２）を有し、前記フィルタを自動的に掃除するフィルタ掃除機構（８０）を更に備える、
請求項１から４のいずれか１項に記載の空調室内機。
【請求項６】
前記保持部は、塵埃の捕捉を補助する捕捉補助部材を有する、
請求項１から５のいずれか１項に記載の空調室内機。
【発明の詳細な説明】
【技術分野】
【０００１】
本発明は、空調室内機に関する。
【背景技術】
【０００２】
従来より、室内の空気をケーシング内に吸い込むための開口として、ケーシングの下面に吸込口が形成されている壁掛け型の空調室内機がある。例えば、特許文献１（特開２００１−３１１５３０号公報）に開示されている室内ユニットでは、空気吸込み用の開口が、筐体の上部と下部とに形成されている。そして、この室内ユニットでは、空気中の塵埃を捕捉するためのフィルタを、熱交換器の空気流れ上流側全域を覆うように配置することで、上部及び下部に形成された空気吸込み用の開口から筐体内に吸い込まれて熱交換器へと流れる空気を清浄化している。
【発明の概要】
【発明が解決しようとする課題】
【０００３】
ところで、ケーシングの下面に形成されている吸込口（以下、下吸込口という）は、ケーシング内に配置されるフィルタ及び熱交換器よりも下側に位置するため、下吸込口から吸い込まれた空気が熱交換器へと至る経路（以下、下吸込経路という）は、下吸込口から上方へと延びる構成になる。このため、特許文献１に開示されている室内ユニットのように、フィルタが熱交換器の空気流れ上流側全域を覆うように配置されている場合には、フィルタのメンテナンスが行われるなどしてフィルタが振動することで、フィルタに捕捉されていた塵埃が、下吸込経路を介して下吸込口から落下してしまうおそれがある。そして、もし、下吸込口から塵埃が落下すると、ユーザーに不快感を与えるおそれがある。
【０００４】
そこで、本発明の課題は、ユーザーに不快感を与えるおそれを低減することができる空調室内機を提供することにある。
【課題を解決するための手段】
【０００５】
本発明の第１観点に係る空調室内機は、室内の壁面に取り付けられる壁掛け型の空調室内機であって、熱交換器と、フィルタと、ケーシングと、下吸込経路と、保持部と、を備えている。熱交換器は、通過する空気との間で熱交換を行う。フィルタは、熱交換器よりも空気流れ上流側に配置されている。また、フィルタは、熱交換器へと流れる空気中の塵埃を捕捉するためのものである。ケーシングは、熱交換器及びフィルタを収納している。また、ケーシングは、下面に、下吸込口が形成されている。下吸込口は、空気を吸い込むための開口である。下吸込経路は、下吸込口から上方に延びている。また、下吸込経路は、下吸込口から吸い込まれた空気を、フィルタ及び熱交換器へと導くための経路である。保持部は、下吸込経路において、フィルタよりも下吸込口側に配置されている。また、保持部は、フィルタから落下する塵埃を保持するためのものである。さらに、保持部は、保持溝を有する。保持溝は、フィルタから落下する塵埃を捕捉し、捕捉した塵埃を保持する。
【０００６】
本発明の第１観点に係る空調室内機では、下吸込経路に、フィルタから落下する塵埃を保持するための保持部が配置されている。このため、フィルタのメンテナンスが行われるなどしてフィルタが振動することで、フィルタに捕捉されていた塵埃がフィルタから落下したとしても、下吸込経路内でこの塵埃を保持することができる。したがって、フィルタから剥離した塵埃が、下吸込経路を介して下吸込口から落下するおそれを低減することができる。
【０００７】
これによって、ユーザーに不快感を与えるおそれを低減することができる。
【０００８】
また、この空調室内機では、保持部がフィルタから落下する塵埃を捕捉し、捕捉した塵埃を保持する保持溝を有する。このため、保持溝によって、塵埃を捕捉し、捕捉した塵埃を保持することができる。
【０００９】
本発明の第２観点に係る空調室内機は、第１観点の空調室内機において、保持部は、櫛歯状の捕捉部を有する。捕捉部が櫛歯状であるため、フィルタから落下してきた塵埃が、捕捉部に引っ掛かりやすくなる。このため、この空調室内機では、保持部での塵埃捕捉能力を向上させることができる。
【００１０】
本発明の第３観点に係る空調室内機は、第１観点又は第２観点の空調室内機において、保持溝は、ケーシングの左側端部近傍から右側端部近傍まで延びるように配置されている。このため、この空調室内機では、フィルタから落下してきた塵埃を確実に捕集することができる。
【００１１】
本発明の第４観点に係る空調室内機は、第１観点から第３観点のいずれかの空調室内機において、下吸込経路は、第１部分と、第２部分と、第３部分と、を含む。第１部分は、熱交換器近傍において水平断面の面積が最も小さい部分である。第２部分は、第１部分と第３部分とを繋ぐ部分である。第３部分は、下吸込口近傍部を含む部分である。また、保持部は、第２部分において、第１部分の第３部分側の端部の端縁の真下に位置している。この空調室内機では、保持部が、第２部分において、第１部分の第３部分側の端部の端縁の真下に位置しているため、フィルタから下吸込経路の第１部分を経由して落下してきた塵埃を、保持部で保持しやすくなっている。したがって、フィルタから落下した塵埃を、保持部で保持できないおそれを低減することができる。
【００１２】
本発明の第５観点に係る空調室内機は、第１観点から第４観点のいずれかの空調室内機において、フィルタを自動的に掃除するフィルタ掃除機構を更に備える。フィルタ掃除機構は、除去部を有する。除去部は、フィルタに捕捉された塵埃を除去するためのものである。この空調室内機は、フィルタから剥離した塵埃が下吸込口から落下しないように保持することのできる構成であるため、フィルタ掃除機構によってフィルタが自動的に掃除されて、フィルタから塵埃が剥離したとしても、剥離した塵埃が下吸込口から落下するおそれを低減することができる。
【００１３】
本発明の第６観点に係る空調室内機は、第１観点から第５観点のいずれかの空調室内機において、保持部は、塵埃の捕捉を補助する捕捉補助部材を有する。このため、この空調室内機では、下吸込口から塵埃が落下するおそれを低減することができる。
【発明の効果】
【００１４】
本発明の第１観点に係る空調室内機では、ユーザーに不快感を与えるおそれを低減することができる。
【００１５】
本発明の第２観点に係る空調室内機では、保持部での塵埃捕捉能力を向上させることができる。
【００１６】
本発明の第３観点に係る空調室内機では、フィルタから落下してきた塵埃を確実に捕集することができる。
【００１７】
本発明の第４観点に係る空調室内機では、保持部で保持できないおそれを低減することができる。
【００１８】
本発明の第５観点に係る空調室内機では、フィルタから剥離した塵埃が、下吸込口から落下するおそれを低減することができる。
【００１９】
本発明の第６観点に係る空調室内機では、下吸込口から塵埃が落下するおそれを低減することができる。
【図面の簡単な説明】
【００２０】
【図１】空調室内機の外観斜視図。
【図２】運転停止時の空調室内機の断面図。
【図３】運転時の空調室内機の断面図。
【図４】前側底フレームの外観斜視図。
【図５】空調室内機の部分断面図。
【図６】空調室内機の概略断面図。
【図７】後側底フレームの外観斜視図。
【図８】下吸込経路を説明するための図。
【図９】変形例Ａに係る後側底フレームを説明するための図。
【図１０】変形例Ｂに係る保持部を説明するための図。
【発明を実施するための形態】
【００２１】
以下、図面を参照しながら、本発明の実施形態に係る空調室内機１０について説明する。なお、以下の実施形態は、本発明の具体例であって、本発明の技術的範囲を限定するものではない。
【００２２】
（１）空調室内機の構成
空調室内機１０は、室内の壁面に取り付けられる壁掛け型の空調室内機であり、図２及び図３に示すように、本体ケーシング１１、フィルタ１８、フィルタ掃除機構８０、室内熱交換器１３、室内ファン１４、底フレーム４０，６０、及び、保持部５０を備えている。
【００２３】
本体ケーシング１１は、天面部１１ａ、前面パネル１１ｂ、背面板１１ｃ及び下部水平板１１ｄを有しており、空調室内機１０の外郭を構成している。また、本体ケーシング１１は、内部にフィルタ１８、フィルタ掃除機構８０、室内熱交換器１３、室内ファン１４、底フレーム４０，６０、及び保持部５０を収納している。
【００２４】
天面部１１ａは、本体ケーシング１１の上部を構成している。また、天面部１１ａの前部には、空調室内機１０の上側から本体ケーシング１１内に室内の空気を吸い込むための上吸込口２４が設けられている。
【００２５】
前面パネル１１ｂは空調室内機１０の前面部を構成しており、吸込口がないフラットな形状を成している。また、前面パネル１１ｂは、その上端が天面部１１ａに回動自在に支持され、ヒンジ式に動作することができる。
【００２６】
背面板１１ｃは、本体ケーシング１１の背面を構成しており、室内の壁面に設置された取付板（図示せず）にビス止め等によって取り付けられることで、空調室内機１０が室内の壁面に設置されることになる。
【００２７】
底フレーム４０，６０は、前側底フレーム４０と、後側底フレーム６０と、を有している。そして、室内熱交換器１３及び室内ファン１４は、前側底フレーム４０に取り付けられている。
【００２８】
室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００２９】
フィルタ１８は、天面部１１ａと室内熱交換器１３との間に、室内熱交換器１３を覆うように着脱自在に装着されている。このため、フィルタ１８は、室内熱交換器１３よりも空気流れ上流側に配置されているといえる。そして、フィルタ１８は、室内熱交換器１３に向かって流入してくる室内の空気に含まれる塵埃を捕捉することができる。なお、本実施形態では、フィルタ１８は、フィルタ１８の前後方向の中央部１８ｂが天面部１１ａに沿って延びており、前側端部１８ａ及び後側端部１８ｃが中央部１８ｂよりも下方に垂れ下がっていることで、室内熱交換器１３の上方を覆っている（図２参照）。このため、フィルタ１８は、側面視において、略逆Ｕ字形状となるように配置されている。なお、フィルタ１８は、環形状に成形されており、支持枠（図示せず）に掛け渡されている。
【００３０】
フィルタ掃除機構８０は、フィルタ１８が自動で清掃されるフィルタ清掃運転を実行するための機構である。なお、本実施形態では、フィルタ掃除機構８０は、本体ケーシング１１内の前部であって、フィルタ１８の前側端部１８ａ近傍の折返し部分に配置されている。
【００３１】
また、本体ケーシング１１の下部には、本体ケーシング１１の長手方向に長い吹出口２０が設けられている。吹出口２０は、前側底フレーム４０を構成要素とする吹出経路２１の出口になっている。
【００３２】
下部水平板１１ｄは、本体ケーシング１１の下面（底面）を構成しており、図２及び図３に示すように、背面板１１ｃの下端から前側底フレーム４０の下端部近傍まで延びている。また、下部水平板１１ｄには、空調室内機１０の下側から本体ケーシング１１内に室内の空気を吸い込むための下吸込口２２が形成されている。下吸込口２２は、本体ケーシング１１の長手方向に長い略長方形状の開口であって、吹出口２０よりも壁面側に設けられている。さらに、下吸込口２２には、下吸込口２２を開閉するための開閉板１５が設けられている。開閉板１５は、下吸込口２２を塞ぐことが可能な大きさに設計されている。また、下吸込口２２は、前側底フレーム４０及び後側底フレーム６０から構成される下吸込経路３０の入口になっている。下吸込経路３０は、前側底フレーム４０を挟んで吹出経路２１と隣接している。また、下吸込経路３０には、下吸込口２２から塵埃が落下しないように、塵埃を保持するための保持部５０が配設されている。
【００３３】
下吸込口２２近傍の室内の空気は、室内ファン１４の稼働によって、下吸込口２２、下吸込経路３０、フィルタ１８及び室内熱交換器１３を経て室内ファン１４に吸い込まれ、室内ファン１４から吹出経路２１を経て吹出口２０から吹き出される。
【００３４】
一方で、上吸込口２４近傍の室内の空気は、室内ファン１４の稼働によって、上吸込口２４、フィルタ１８及び室内熱交換器１３を経て室内ファン１４に吸い込まれ、室内ファン１４から吹出経路２１を経て吹出口２０から吹き出される。
【００３５】
また、吹出口２０近傍には、本体ケーシング１１の長手方向に長い板状の水平羽根１６が回動自在に取り付けられている。水平羽根１６は、モータ（図示せず）によって駆動して、傾斜角度が異なる複数の姿勢を採ることで、吹出空気の上下方向の流れを変更することができる。
【００３６】
さらに、吹出口２０の近傍であって、水平羽根１６の上方には、コアンダ羽根１７が設けられている。コアンダ羽根１７は、水平羽根１６と同様に本体ケーシング１１の長手方向に長い板状の部材であって、コアンダ羽根１７の下端部近傍に位置する回転軸（図示せず）がモータ（図示せず）によって回転されることで、傾斜角度が異なる複数の姿勢を採ることが可能である。そして、コアンダ羽根１７は、水平羽根１６と共同して、吹出空気を様々な気流にすることができる。なお、コアンダ羽根１７は、運転停止時には、前面パネル１１ｂに設けられた収容部１９に収容される。
【００３７】
なお、空調室内機１０の具体的な構成は、上記のものに限定されるものではなく、本体ケーシング１１の下面に形成された下吸込口２２から上方に延びており、下吸込口２２から吸い込まれた空気をフィルタ１８及び室内熱交換器１３へと導くための下吸込経路を備える空調室内機であれば、他の機器構成であってもよい。
【００３８】
（２）詳細構成
（２−１）フィルタ掃除機構
フィルタ掃除機構８０は、フィルタ１８を周回させるためのフィルタ駆動部８１と、フィルタ１８から塵埃を除去するためのブラシ８２と、フィルタ１８から除去された塵埃を溜めるためのダストボックス８４と、を有している。
【００３９】
フィルタ駆動部８１は、モータ（図示せず）と、モータによって回転するローラ８３と、を有しており、ローラ８３が回転されることで、フィルタ１８を周回させることができる。
【００４０】
ブラシ８２は、空調室内機１０の長手方向に沿って細長い形状を有しており、図２及び図３に示すように、長手方向に直交する断面が略円形の形状をしている。また、ブラシ８２は、フィルタ１８に直接接触することができる位置に回転可能に取り付けられている。
【００４１】
そして、フィルタ清掃運転時には、ローラ８３が回転してフィルタ１８が周回されるとともに、ブラシ８２がローラ８３とは反対方向に回転することで、周回するフィルタ１８からブラシ８２によって塵埃が掻き取られて、フィルタ１８から塵埃が除去される。また、ブラシ８２によってフィルタ１８から除去された塵埃は、ブラシ８２の下方に配置されるダストボックス８４に溜められる。なお、ダストボックス８４は、本体ケーシング１１から着脱可能に取り付けられているため、ダストボックス８４に溜められた塵埃は、ユーザーによって定期的に処理される。
【００４２】
（２−２）前側底フレーム
図４は、前側底フレーム４０を斜め下方からみた外観図である。図５は、空調室内機１０の部分縦断面図である。図６は、空調室内機１０の概略縦断面図であって、下吸込経路３０近傍を示す図である。
【００４３】
前側底フレーム４０は、図５及び図６に示すように、吹出経路形成部４１と、吸込経路形成部４２と、を有している。吹出経路形成部４１は、室内ファン１４の後側（背面側）から吹出口２０の後縁部へと滑らかに延びるスクロール面を有する。また、室内熱交換器１３において、室内ファン１４の前方を覆う熱交換部を前側熱交換部１３ａとし、室内ファン１４の後方を覆う熱交換部を後側熱交換部１３ｂとすると、吹出経路形成部４１の上部４１ａは、図５に示すように、室内ファン１４と後側熱交換部１３ｂとの間に配置されている。
【００４４】
吸込経路形成部４２は、図５に示すように、吹出経路形成部４１の途中から後方に向かって延びる第１部４２ａと、第１部４２ａの後端から天面部１１ａに向かって延びる第２部４２ｂと、を含む。第２部４２ｂの上端部４２ｂａは、天面部１１ａの後端部及び背面板１１ｃの上端部に係合している。また、第１部４２ａは、後側熱交換部１３ｂの下端部下側に配置されており、第２部４２ｂの下部は、後側熱交換部１３ｂの下端部後側に配置されている。このため、吹出経路形成部４１の上部４１ａと、吸込経路形成部４２の第１部４２ａと、吸込経路形成部４２の第２部４２ｂの下部と、によって、主に後側熱交換部１３ｂで発生したドレン水を受けるためのドレンパンが構成されている。さらに、第２部４２ｂの上下方向の略中央部には、前側底フレーム４０の長手方向、すなわち、本体ケーシング１１の長手方向に長い略長方形状の開口４３が形成されている（図４参照）。
【００４５】
（２−３）後側底フレーム
図７は、後側底フレーム６０を斜め上方からみた外観図である。図８は、前側底フレーム４０と後側底フレーム６０とが組み合わされた状態の概略縦断面図であって、下吸込経路３０を説明するための図である。
【００４６】
後側底フレーム６０は、空調室内機１０の長手方向に長い部材であって、前側底フレーム４０の後側に配置されている。また、後側底フレーム６０は、図５及び図７に示すように、基部６１と、基部６１の上端から前方に立設する上面部６２と、基部６１の左右側端から前方に立設する側面部６３，６３と、を有する。
【００４７】
基部６１は、図５、図７及び図８に示すように、上下方向に延びる第１基部６１ａと、上下方向に延びる第３基部６１ｃと、前後方向に延びており第１基部６１ａと第３基部６１ｃとを繋ぐ第２基部６１ｂと、を含む。
【００４８】
第１基部６１ａは、基部６１の上部を構成しており、第１基部６１ａの上端と上面部６２とが連続している。また、前側底フレーム４０の吹出経路形成部４１において、第１部４２ａと連続している部分よりも下の部分を前側フレーム部４１ｂとすると、前側底フレーム４０と後側底フレーム６０とが組み合わされた状態では、第１基部６１ａは、図８に示すように、第２部４２ｂの略中央部から前側フレーム部４１ｂの上部までの部分と対向するように配置されている。ここで、上面部６２の先端部が、前側底フレーム４０の第２部４２ｂに形成されている開口４３の上縁部４３ａと係合しているため、本実施形態では、第１基部６１ａの上部が、開口４３の開口面とも対向している。
【００４９】
第３基部６１ｃは、基部６１の下部を構成しており、第３基部６１ｃの下端が下吸込口２２の後縁部に位置している。また、前側底フレーム４０と後側底フレーム６０とが組み合わされた状態では、第３基部６１ｃは、図８に示すように、前側フレーム部４１ｂの略中央部から下端近傍までの部分と対向するように配置されている。
【００５０】
第２基部６１ｂは、図５及び図８に示すように、上面部６２と対向するように位置している。また、図８に示すように、第２基部６１ｂの後端６１ｂｂと第１基部６１ａの下端６１ａｂとが連続しており、第２基部６１ｂの前端６１ｂａと第３基部６１ｃの上端６１ｃａとが連続している。さらに、図６に示すように、第２基部６１ｂの前後方向の距離Ｌ１は、第１基部６１ａから第２部４２ｂまでの距離Ｌ２よりも大きくなるように設計されている。このため、前側底フレーム４０と後側底フレーム６０とが組み合わされた状態では、図８に示すように、後側底フレーム６０の第２基部６１ｂの前端部と、前側底フレーム４０の第１部４２ａの後端部とが対向する。また、第２基部６１ｂは、第２基部６１ｂから上方に突出するリブ部６４を有している。リブ部６４は、図６に示すように、第２基部６１ｂにおいて、第１基部６１ａの下端６１ａｂからの距離Ｌ３が、第１基部６１ａから第２部４２ｂまでの距離Ｌ２よりも大きくなる位置に配置されている。
【００５１】
なお、本実施形態では、図５に示すように、後側底フレーム６０を側方からみて、第１基部６１ａ及び第３基部６１ｃは、略鉛直方向に延びている。また、後側底フレーム６０を側方からみて、第２基部６１ｂの後部は略水平に延びる一方で、第２基部６１ｂの前部は凸状に湾曲している。
【００５２】
（２−４）下吸込経路
下吸込経路３０は、下吸込口２２から吸い込まれた室内の空気を、フィルタ１８及び室内熱交換器１３へと導くための経路である。なお、下吸込口２２は、フィルタ１８及び室内熱交換器１３よりも下方に位置する下部水平板１１ｄに形成されているため、下吸込経路３０は、上方に延びるように構成されているといえる。
【００５３】
また、本実施形態では、下吸込経路３０は、下吸込口２２から前側底フレーム４０に形成された開口４３までの経路とする。ここで、本体ケーシング１１内において、上吸込口２４から吸い込まれた室内の空気を、フィルタ１８及び室内熱交換器１３へと導くための経路を上吸込経路２５とすると、本実施形態では、下吸込口２２から流入し、下吸込経路３０を流れて開口４３から流出した室内の空気は、上吸込経路２５の一部を経てフィルタ１８へと導かれることになる（図６参照）。
【００５４】
また、下吸込経路３０は、図８に示すように、上部を構成する第１部分３１と、中央部を構成する第２部分３２と、下部を構成する第３部分３３と、から構成されている。
【００５５】
第１部分３１は、空調室内機１０の側面視において、上下方向に延びている部分である。また、第１部分３１は、図８に示すように、下吸込経路３０において、最も開口４３に近い部分である開口近傍部３１ａを含む。さらに、第１部分３１は、下吸込経路３０において、水平断面の面積が最も小さい部分を含む。なお、本実施形態では、第１部分３１において開口４３の下縁部４３ｂを含む部分が、下吸込経路３０における水平断面の面積の最も小さい部分である。
【００５６】
第２部分３２は、空調室内機１０の側面視において、前後方向に延びている部分であって、第１部分３１と第２部分３２とを繋ぐ部分である。より詳しくは、第２部分３２の後端部と第１部分３１とが連続しており、第２部分３２の前端部と第３部分３３とが連続している。
【００５７】
第３部分３３は、空調室内機１０の側面視において、上下方向に延びている部分である。また、第３部分３３は、図８に示すように、下吸込経路３０において、最も下吸込口２２に近い部分である下吸込口近傍部３３ａを含む。
【００５８】
そして、下吸込経路３０では、第１部分３１が、第２部分３２の後端部から上方に延びており、第３部分３３が、第２部分３２の前端部から下方に延びている。このため、本実施形態の下吸込経路３０は、クランク形状を呈している。
【００５９】
なお、本実施形態では、第１部分３１と第２部分３２との境界は、前側底フレーム４０の第２部４２ｂの下端４２ｂｂを含む水平面によって規定されるものとする（図８参照）。また、本実施形態では、第２部分３２と第３部分３３と境界は、後側底フレーム６０の第２基部６１ｂの前端６１ｂａを含む水平面によって規定されるものとする（図８参照）。ここで、第２基部６１ｂの前後方向の距離Ｌ１は、第１基部６１ａから第２部４２ｂまでの距離Ｌ２よりも大きくなるように設計されている。このため、空調室内機１０の平面視において、第１部分３１が第３部分３３よりも前方に配置されることになる。
【００６０】
また、本実施形態では、下吸込経路３０がクランク形状を呈しているが、下吸込経路の形状はこれに限定されず、下吸込口２２から上方に延びるように構成されていればよい。
【００６１】
（２−５）保持部
保持部５０は、下吸込経路３０の第２部分３２に配置されている。より詳しくは、図８に示すように、保持部５０は、下吸込経路３０の第２部分３２において、第１部分３１の下端縁の真下に配置されている。また、保持部５０は、空調室内機１０の側面視において前後方向に延びており、空調室内機１０の正面視において左右方向に延びる略平坦な面を有する（図７及び図８参照）。このため、フィルタ１８に付着していた塵埃が何らかの理由で開口４３から下吸込経路３０に入ったとしても、第１部分３１の下端縁から落下してきた塵埃を保持部５０で保持することができる。
【００６２】
さらに、本実施形態の保持部５０は、第１部分３１の下端縁から落下してきた塵埃を捕捉し、捕捉した塵埃を保持しやすくするための凹状の保持溝５２を有する。保持溝５２は、図８に示すように、後側底フレーム６０の第１基部６１ａの下端部、リブ部６４、及び、第２基部６１ｂの後端６１ｂｂからリブ部６４までの部分（以下、基部６５という）によって構成されている。このため、保持溝５２の基部６５の前端はリブ部６４と一致し、基部６５の後端は、第１基部６１ａの下端部と一致する。また、保持溝５２の基部６５の左端は、後側底フレーム６０の左側の側面部６３と一致し、基部６５の右端は、後側底フレーム６０の右側の側面部６３と一致する（図７参照）。ここで、第１基部６１ａからリブ部６４までの距離Ｌ３は、第１基部６１ａから第２部４２ｂまでの距離Ｌ２よりも大きい（図６参照）。このため、基部６５の面積は、第１部分３１の下端縁によって規定される開口面の面積よりも大きくなる。この結果、第１部分３１の直下の空間の下方全面に、基部６５が存在することになる。
【００６３】
なお、本実施形態では、保持部５０は、後側底フレーム６０によって構成されており、後側底フレーム６０と一体成形されている。また、保持部５０の左右方向の寸法と、後側底フレーム６０の左右方向の寸法とは同じであり、後側底フレーム６０は、本体ケーシング１１の長手方向に長い部材である。このため、保持部５０は、空調室内機１０の正面視において、本体ケーシング１１の左側端部近傍から右側端部近傍まで延びるように配置されているといえる。
【００６４】
（３）特徴
（３−１）
本実施形態では、下吸込経路３０には、フィルタ１８から落下する塵埃を保持するための保持部５０が配設されている。このため、フィルタ１８のメンテナンスが行われるなどしてフィルタ１８が振動することで、フィルタ１８に捕捉されていた塵埃が落下したとしても、フィルタ１８から落下してきた塵埃を、下吸込経路３０内で保持することができる。したがって、下吸込経路３０を介して下吸込口２２から塵埃が落下するおそれを低減することができる。
【００６５】
これにより、ユーザーに不快感を与えるおそれを低減することができている。
【００６６】
また、保持部５０で保持された塵埃は、運転開始時に室内ファン１４が駆動されることで、下吸込口２２から吸い込まれた室内の空気とともに、下吸込経路３０の第１部分３１を流れ、開口４３を介してフィルタ１８に捕捉されることになる。
【００６７】
（３−２）
本実施形態では、保持部５０が、凹状の保持溝５２を有する。このため、この空調室内機１０では、フィルタ１８から落下してきた塵埃を捕捉し、捕捉した塵埃を保持しやすくなっている。
【００６８】
（３−３）
本実施形態では、保持溝５２は、空調室内機１０の正面視において、本体ケーシング１１の左側端部近傍から右側端部近傍まで延びるように配置されている。このため、フィルタ１８から落下してきた塵埃を、確実に捕集することができる。
【００６９】
（３−４）
本実施形態では、保持部５０は、下吸込経路３０の第２部分３２において、第１部分３１の下端縁の真下に配置されている。このため、フィルタ１８のメンテナンス等が行われることにより、フィルタ１８に付着していた塵埃が開口４３を介して下吸込経路３０に入ったとしても、第１部分３１の下端縁から下方に落下してきた塵埃を保持部５０で保持しやすくなっている。
【００７０】
（３−５）
本実施形態では、フィルタ掃除機構８０が、フィルタ１８を周回させて、フィルタ１８を掃除する。このようにフィルタ１８を移動させてフィルタ１８を掃除するようなフィルタ掃除機構８０では、フィルタ１８の移動時に、フィルタ１８から塵埃が剥離して、フィルタ１８から剥離した塵埃が開口４３を介して下吸込経路３０に入ってくる可能性が高くなる。
【００７１】
しかしながら、本実施形態では、下吸込経路３０内に、フィルタ１８から落下する塵埃を保持するための保持部５０が配設されているため、フィルタ掃除機構８０によって、フィルタ１８が自動的に掃除されて、フィルタ１８から塵埃が剥離して下吸込経路３０に入ってきたとしても、この塵埃を、下吸込経路３０内で保持することができる。したがって、フィルタ掃除機構８０を備える空調室内機１０であっても、下吸込経路３０を介して下吸込口２２から塵埃が落下するおそれを低減することができている。
【００７２】
（４）変形例
（４−１）変形例Ａ
上記実施形態では、リブ部６４が、第２基部６１ｂから上方に突出するように設けられている。これに代えて、図９に示すように、リブ部１６４が、金型の抜き方向と一致するように、前方に突出していてもよい。このように、リブ部１６４が金型の抜き方向に沿って形成されていることで、後側底フレーム６０を成形するための金型が複雑にならないようにすることができる。
【００７３】
（４−２）変形例Ｂ
図１０は、リブ部２６４を正面側（前側）からみた図である。
【００７４】
上記実施形態では、保持部５０を構成するリブ部６４は、正面視において、左右方向に延びる略平坦な面を有している。そして、保持部５０は、主に、このリブ部６４よりも後側の部分で、第１部分３１の下端縁から落下してきた塵埃を捕捉し、捕捉した塵埃を保持している。
【００７５】
これに代えて、リブ部２６４が、図１０に示すような櫛歯状に設けられていてもよい。リブ部２６４を櫛歯状に設けることで、フィルタ１８から落下してきた塵埃が、リブ部２６４に引っ掛かりやすくなる。この結果、保持部５０における塵埃捕捉能力を向上させることができるため、下吸込口２２から塵埃が落下するおそれを低減することができる。
【００７６】
（４−３）変形例Ｃ
上記実施形態では、保持部５０は、空調室内機１０の側面視において前後方向に延びており、空調室内機１０の正面視において左右方向に延びる略平坦な面を有しており、この略平坦な面で塵埃を捕捉し、保持している。
【００７７】
これに代えて、保持部５０が、略平坦な面よりも塵埃を捕捉及び保持しやすい部材を有していてもよい。
【００７８】
例えば、保持部５０が、塵埃の捕捉を補助する捕捉保持部材（捕捉補助部材に相当）を有していてもよい。具体的には、保持部５０の前記平坦な面に、捕捉保持部材として、例えば、不織布又は粘着部材が配設されていることで、フィルタ１８から落下してきた塵埃が不織布又は粘着部材に付着するため、保持部５０における塵埃捕捉能力及び塵埃保持能力を向上させることができる。
【００７９】
これにより、下吸込口２２から塵埃が落下するおそれを低減することができる。
【産業上の利用可能性】
【００８０】
本発明は、下吸込口から塵埃が落下することで、ユーザーに不快感を与えるおそれを低減することができるものであり、下面に下吸込口が形成されている空調室内機への適用が有効である。
【符号の説明】
【００８１】
１０      空調室内機
１１      ケーシング
１１ｄ    下部水平板（下面）
１３      室内熱交換器（熱交換器）
１８      フィルタ
２２      下吸込口
３０      下吸込経路
３２      第２部分
３３      第３部分
３３ａ    下吸込口近傍部
５０      保持部
５２      保持溝
８０      フィルタ掃除機構
８２      ブラシ（除去部）
２６４      リブ部（捕捉部）
【先行技術文献】
【特許文献】
【００８２】
【特許文献１】特開２００１−３１１５３０号公報
【図１】
0005720611.tif 000002
【図２】
0005720611.tif 000003
【図３】
0005720611.tif 000004
【図４】
0005720611.tif 000005
【図５】
0005720611.tif 000006
【図６】
0005720611.tif 000007
【図７】
0005720611.tif 000008
【図８】
0005720611.tif 000009
【図９】
0005720611.tif 000010
【図１０】
0005720611.tif 000011